(57)【特許請求の範囲】
【請求項１】
左右の被検眼の位置に基づいて被検者の瞳孔間距離を測定する瞳孔間距離計であって、
前記被検眼の前方に配置され、左右の検査窓を介して前記被検眼の左右それぞれに対して測定用マークを表示させる表示手段と、
検者の操作に応じて操作信号を出力するための移動ボタンと、
検者によって前記移動ボタンが押されることで出力された操作信号に基づいて前記表示手段の表示を制御し、前記被検眼に対して、予め設定された測定範囲から定まる測定移動範囲において前記測定用マークの表示位置を所定のピッチで左右方向に移動させる第１表示制御を実行する表示制御手段と、
前記測定用マークの表示位置に基づいて、前記被検者の瞳孔間距離を演算する演算手段と、を備え、
前記表示制御手段は、前記測定用マークが前記測定移動範囲の左右いずれかの限界に達した場合、第１表示制御とは異なる第２表示制御を実行することを特徴とする瞳孔間距離計。
【請求項２】
前記操作手段は、検者の操作に基づいて前記測定用マークを前記被検眼に対して左方向に移動させるための左移動信号と、前記測定用マークを前記被検眼に対して右方向に移動させるための右移動信号と、を出力し、
前記表示制御手段は、
前記測定用マークが左側移動限界に達した場合と、
前記測定用マークが右側移動限界に達した場合と、のいずれかの場合において、前記第２表示制御を実行することを特徴とする請求項１の瞳孔間距離計。
【請求項３】
前記表示制御手段は、
前記測定用マークが左側移動限界に達し、かつ、前記操作手段から前記左移動信号が出力された場合と、
前記測定用マークが右側移動限界に達し、かつ、前記操作手段から前記右移動信号が出力された場合と、のいずれかの場合において、前記第２表示制御を実行することを特徴とする請求項２の瞳孔間距離計。
【請求項４】
前記第２表示制御は、前記表示手段の表示領域であって前記測定用マークの表示位置とは異なる表示領域の一部または全部を点灯、点滅または消灯させる表示制御であることを特徴とする請求項１〜３のいずれかの瞳孔間距離計。
【請求項５】
前記第２表示制御は、前記測定用マークを点滅あるいは消灯させる表示制御であることを特徴とする請求項１〜３のいずれかの瞳孔間距離計。
【発明の詳細な説明】
【技術分野】
【０００１】
被検眼の瞳孔間距離を測定するための瞳孔間距離計に関する。
【背景技術】
【０００２】
眼鏡の調整においては、レンズの光軸が平均的使用状態での注視距離（これを作業距離ともいう）のもとで、対応する眼球の瞳孔との位置関係を調整しなければならない。このためには、被検者の眼球の瞳孔間距離を測定する必要がある。
【０００３】
従来において、被検眼の角膜に形成された照明光の虚像である角膜輝点と、検査窓近傍に形成されたヘアライン（測定用マーク）と、の位置を合わせることによって瞳孔の位置を決定し、瞳孔間距離を測定する瞳孔間距離計が知られている（例えば、特許文献１参照）。
【先行技術文献】
【特許文献】
【０００４】
【特許文献１】特開平１−１５８９３３号公報
【特許文献２】特開平２−１５４７３４号公報
【発明の概要】
【発明が解決しようとする課題】
【０００５】
しかしながら、従来の装置において、検者は、測定用マークの位置が測定範囲の限界に達したことを確認しづらい場合があった。
【０００６】
本発明は、上記問題点を鑑み、容易に操作できる瞳孔間距離計を提供することを技術課題とする。
【課題を解決するための手段】
【０００７】
上記課題を解決するために、本発明は以下のような構成を備えることを特徴とする。
【０００８】
（１）  左右の被検眼の位置に基づいて被検者の瞳孔間距離を測定する瞳孔間距離計であって、前記被検眼の前方に配置され、左右の検査窓を介して前記被検眼の左右それぞれに対して測定用マークを表示させる表示手段と、検者の操作に応じて操作信号を出力するための移動ボタンと、検者によって前記移動ボタンが押されることで出力された操作信号に基づいて前記表示手段の表示を制御し、前記被検眼に対して、予め設定された測定範囲から定まる測定移動範囲において前記測定用マークの表示位置を所定のピッチで左右方向に移動させる第１表示制御を実行する表示制御手段と、前記測定用マークの表示位置に基づいて、前記被検者の瞳孔間距離を演算する演算手段と、を備え、前記表示制御手段は、前記測定用マークが前記測定移動範囲の左右いずれかの限界に達した場合、第１表示制御とは異なる第２表示制御を実行することを特徴とする。
【図面の簡単な説明】
【０００９】
【図１】本実施例の外観を示す概略図である。
【図２】本実施例を被検者側から見たときの外観図である。
【図３】本実施例の光学系を示す概略図である。
【図４】本実施例の制御系を示すブロック図である。
【図５】本実施例に測定用マークの表示方法を説明するための図である。
【図６】表示部に表示された瞳孔間距離の測定結果の一例を示す。
【図７】瞳孔間距離の換算方法について説明する図である。
【図８】測定用マークが移動限界に達したときの第２表示制御について説明する図である。
【図９】本実施例の制御方法の一例を示すフローチャートである。
【発明を実施するための形態】
【００１０】
＜概要＞
以下、第１実施形態の概要を説明する。なお、以下の説明において、同様の構成については同一番号を付して説明する。第１実施形態の瞳孔間距離計１は、例えば、左右の被検眼Ｅの位置に基づいて被検者の瞳孔間距離を測定する。
【００１１】
瞳孔間距離計１（図１参照）は、例えば、測定用マーク移動部と、演算部と、表示制御部と、を主に備える（図３、図４参照）。なお、制御部７０が、測定用マーク移動部、演算部、表示制御部等を兼ねるようにしてもよい。もちろん、別途、測定用マーク移動部、演算部、表示制御部がそれぞれ設けられる構成としてもよい。
【００１２】
測定用マーク移動部は、左右の検査窓６を介して被検眼Ｅに対して左右それぞれに形成（例えば、表示）された測定用マークの形成位置を移動させる。演算部は、例えば、被検眼Ｅに対して位置合わせされた測定用マークＭの形成位置に基づいて、被検者の瞳孔間距離を演算する。表示制御部は、演算部によって演算された瞳孔間距離の演算結果を０．５ｍｍより小さい間隔（表示ピッチ）で結果表示部７に表示する。これによって、検者は、眼鏡の作製、フィッティングのための良好な瞳孔間距離を得ることができる。
【００１３】
なお、表示制御部は、演算部によって演算された瞳孔間距離の演算結果を０．５ｍｍ間隔と、０．５ｍｍより小さい間隔とで結果表示部７に表示してもよい。例えば、瞳孔間距離の演算結果を０．５ｍｍ間隔と、０．５ｍｍより小さい間隔とを結果表示部７に同時に表示してもよい。
【００１４】
なお、瞳孔間距離計１は、さらに出力モード切換部（例えば、制御部７０）を備えてもよい。出力モード切換部は、演算部によって演算された瞳孔間距離の演算結果を第１出力モードと、第２出力モードと、を切り換えてもよい。なお、第１出力モードは、例えば、演算部によって演算された瞳孔間距離の演算結果を０．５ｍｍ間隔で結果表示部７に出力する出力モードである。なお、第２出力モードは、例えば、演算部によって演算された瞳孔間距離の演算結果を０．５ｍｍより小さい間隔で結果表示部７に出力する出力モードである。この場合、表示制御部は、出力モード切換部によって切換られた出力モードに対応する間隔で結果表示部７に演算結果を表示してもよい。これによって、検者は、瞳孔間距離の利用目的に応じて、結果表示部７に出力させる瞳孔間距離の表示間隔を切り換えできる。
【００１５】
なお、第２出力モードは、例えば、瞳孔間距離の演算結果を０．１ｍｍ間隔で結果表示部７に出力する出力モードであってもよい。０．１ｍｍ間隔での表示は、０．５ｍｍ間隔より細かく、例えば、数値として扱いやすい。
【００１６】
なお、出力モード切換部は、切換スイッチ（例えば、測定モード切換ボタン２４）を備えてもよい。切換スイッチは、例えば、第１出力モードと、第２出力モードを切り換えるために検者によって操作されてもよい。この場合、出力モード切換部は、検者の操作に応じた切換スイッチからの出力に基づいて第１出力モードと、第２出力モードとを切り換えてもよい。
【００１７】
以下、第２実施形態の概要を説明する。なお、第１実施形態と同様の構成については同一番号を付して説明する。第２実施形態の瞳孔間距離計１は、例えば、左右の被検眼Ｅの位置に基づいて被検者の瞳孔間距離を測定する。
【００１８】
瞳孔間距離計１（図１参照）は、例えば、表示部（例えば、ディスプレイ３６）と、演算部と、表示制御部と、を主に備える（図３、図４参照）。なお、制御部７０が、演算部、表示制御部等を兼ねるようにしてもよい。もちろん、別途、演算部、表示制御部がそれぞれ設けられる構成としてもよい。
【００１９】
表示部は、例えば、被検眼Ｅの前方に配置され、左右の検査窓６を介して被検眼Ｅの左右それぞれに対して測定用マークＭを表示させる。演算部は、測定用マークＭの表示位置に基づいて、被検者の瞳孔間距離を演算する。
【００２０】
表示制御部は、例えば、検者の操作に応じて操作部（例えば、移動ボタン２２，２３）から出力された操作信号に基づいて表示部の表示を制御してもよい。例えば、表示制御部は、第１表示制御を実行してもよい。第１表示制御とは、例えば、測定移動範囲（例えば、表示領域Ａｃ）において、測定用マークＭの表示位置を被検眼Ｅに対して所定のピッチで左右方向に移動させる表示制御であってもよい。
【００２１】
なお、測定移動範囲とは、例えば、測定用マークＭの移動範囲であり、予め設定された測定範囲から定められてもよい。予め設定された測定範囲とは、例えば、想定される瞳孔間距離の個人差を考慮して設定された瞳孔間距離の測定範囲である。例えば、瞳孔間距離の測定範囲は４０〜９０ｍｍの範囲に予め設定されてもよい。もちろん、具体的な数値設定についてはこれに限定されず、適宜設定可能である。なお、測定移動範囲外（例えば、表示領域Ａｃ−Ａｌ間、表示領域Ａｃ−Ａｒ間、表示領域Ａｌ，Ａｒなど）において、測定用マークＭが表示可能であってもよい。
【００２２】
なお、表示制御部は、例えば、測定用マークが測定移動範囲の左右いずれかの限界に達した場合、第１表示制御とは異なる第２表示制御を実行する。なお、第２表示制御は、例えば、表示部の表示領域の一部または全部を点灯、点滅または消灯させる表示制御であってもよいし、測定用マークＭを点滅あるいは消灯させる表示制御であってもよい。第２表示制御は、表示部を観察する検者が第１表示制御と区別できる表示制御であることが好ましい。
【００２３】
以上のように、第２実施形態の瞳孔間距離計１は、測定用マークＭが測定移動範囲の限界に達した場合、表示部の表示を変化させる。これによって、検者は、測定用マークＭが測定移動範囲の限界に達したことを確認することができる。
【００２４】
なお、操作部は、検者の操作に基づいて測定用マークＭを被検眼Ｅに対して左方向に移動させるための左移動信号と、測定用マークＭを被検眼Ｅに対して右方向に移動させるための右移動信号と、を出力してもよい。この場合、表示制御部は、測定用マークＭが左側移動限界に達した場合と、測定用マークＭが右側移動限界に達した場合のいずれかにおいて、第２表示制御を実行してもよい。例えば、検者は、操作部を操作して測定用マークＭを左右いずれかに移動させる際、表示部の表示の変化を確認することによって、測定用マークＭが測定移動範囲の左右いずれかの限界に達したことを確認することができる。
【００２５】
なお、表示制御部は、測定用マークＭが左側移動限界（例えば、セグメントＳａ）に達しているときに操作部から左移動信号が出力された場合、あるいは測定用マークＭが右側移動限界（例えば、セグメントＳｌ）に達しているときに操作部から右移動信号が出力された場合のいずれかの場合において、第２表示制御を実行してもよい。
【００２６】
＜実施例＞
以下、本発明の実施例を図面に基づいて説明する。本実施例の瞳孔間距離計（以下、本距離計ともいう）１は、被検者の瞳孔間距離を測定するための装置である。本距離計１は、例えば、被検眼Ｅに照明光を照射し、角膜頂点に輝点を形成させる。この輝点は、照明光の虚像（角膜反射像）であり、角膜頂点の位置に形成される。本距離計１は、左右の角膜頂点に形成された輝点及び本距離計１の機械中心の位置に基づいて、被検者の瞳孔間距離を測定する。
【００２７】
＜外観＞
図１、図２を参照して、本距離計１の外観を説明する。図１は、本実施例の瞳孔間距離計１を上方から見たときの概観を示す。図２は、本実施例の瞳孔間距離計１を図１のＷ方向から見たときの外観図である。
【００２８】
本距離計１は、筺体２と、額当て３と、鼻当て４と、観察窓５と、検査窓６（図２参照）と、結果表示部７を主に備える。筺体２には、電源ボタン２１と、移動ボタン２２と、移動ボタン２３と、測定モード切換ボタン２４と、作業距離変更ボタン２５等が配置される。移動ボタン２２は、例えば、左移動ボタン２２Ｌと右移動ボタン２２Ｒを備える。移動ボタン２２は、被検者の右眼側に表示される後述の測定用マークＭを左右に移動させるときに用いられる。移動ボタン２３は、例えば、左移動ボタン２３Ｌと右移動ボタン２３Ｒを備える。移動ボタン２３は、被検者の左眼側に表示される後述の測定用マークＭを左右に移動させるときに用いられる。例えば、右移動ボタン２２Ｒ，２３Ｒが押されると、測定用マークＭを検者の右側に移動させるための右移動信号が制御部７０に出力される。例えば、左移動ボタン２２Ｌ，２３Ｌが押されると、測定用マークＭを検者の左側に移動させるための左移動信号が制御部７０に出力される。測定モード切換ボタン２４は、測定モードを右眼測定モード、左眼測定モード、両眼測定モードのいずれかに切り換える場合に用いられる。右眼測定モードでは、被検者の右眼の瞳孔から瞳孔間距離計１の機械中心を通る中心軸Ｏ１までの距離（片眼瞳孔間距離）を測定する。左眼測定モードでは、被検者の左眼の瞳孔から瞳孔間距離計１の機械中心をとおる中心軸Ｏ１までの距離（片眼瞳孔間距離）を測定する。作業距離変更ボタン２５は、瞳孔間距離の計算に用いられる作業距離を変更するために用いられる。筺体２の内部には、後述する測定光学系３０が収納される。
【００２９】
額当て３は、被検者の額に当接され、被検者と本距離計１との位置を固定するために用いられる。鼻当て４は、被検者の鼻に当接され、被検者の鼻と本距離計１の中心軸Ｏ１とを一致させるために用いられる。観察窓５は、検者が被検眼を観察するために用いられる。検査窓６は、後述する固視標を被検者に観察させるために用いられる。結果表示部７は、測定された瞳孔間距離などを表示するために用いられる。
【００３０】
＜測定光学系＞
図３を参照して、本距離計１の測定光学系３０を説明する。本距離計１の測定光学系３０は、固視標照明用光源３１と、固視標３２と、ミラー３３と、凸レンズ３４と、接眼レンズ３５と、ディスプレイ（表示手段）３６と、を主に備える。
【００３１】
固視標照明用光源３１は、固視標３２を背後から照明する。固視標照明用光源３１は被検眼に向けて光を照射する照射手段として機能する。凸レンズ３４の焦点距離及びその配置は、固視標が容易に見えるように考慮されている。
【００３２】
接眼レンズ３５は、検者が被検者の角膜上にできた輝点を観測する際に用いられる。接眼レンズ３５は、角膜上にできた輝点の付近にピントが合うように考慮されている。ディスプレイ３６は、後述する測定用マークＭを形成（例えば、表示）させる。
【００３３】
なお、本実施形態のディスプレイ３６には、透過型ディスプレイの一種であるセグメント型液晶ディスプレイを用いている。セグメント型液晶ディスプレイの各セグメントは、例えば、透明金属コートを施されたガラスをフォトエッチングして製造される。ただし、セグメント型の液晶ディスプレイでなくともよく、例えば、マトリックス型の液晶ディスプレイを用いてもよい。セグメント型液晶ディスプレイについては、特許文献２に記載されている。
【００３４】
ディスプレイ３６は、固視標３２と被検眼の角膜との間に配置される。ディスプレイ３６は、例えば、被検者の角膜頂点から３０ｍｍの位置に配置されているが、これに限らない。ディスプレイ３６から角膜頂点までの距離は、既知であって演算が容易であればよい。
【００３５】
なお、本実施例において、固視標の呈示距離（作業距離）は固定されている。本距離計１では、まず固定された作業距離での瞳孔間距離を求め、この結果を利用して異なる作業距離での瞳孔間距離を計算で求める。したがって、本実施例では、瞳孔間距離計１によって測定された瞳孔間距離データを補正することによって、任意の作業距離での瞳孔間距離を測定することが可能である。なお、本実施例において、任意の作業距離は、予め設定された作業距離の中から作業距離変更ボタン２５によって選択される。
【００３６】
例えば、制御部７０は、測定された瞳孔間距離と設定された作業距離のデータに基づいて、次式より設定された作業距離に対する瞳孔間距離を演算して求める。作業距離Ｄｍは、本距離計１に固有であって既知である。作業距離Ｄｍの時の瞳孔間距離をＰＤｍ、求める作業距離Ｄｎでの瞳孔間距離をＰＤｎとすると、ＰＤｎは以下の式で算出される。
【００３７】
【数１】
0006398385.tif 000002
【００３８】
なお、ＶＤは角膜頂点距離（例えば、日本人は１２ｍｍとして計算）、Ｒは眼球回旋半径（例えば、１３ｍｍ）で測定精度の関係で定数として扱っても支障はない。Ｌは無限遠を見た状態の被検眼の角膜頂点とディスプレイ３６との距離であり、設計上既知の値である。このようにして求められた瞳孔間距離は、例えば、予めメモリ７２に記憶されていてもよい。なお、瞳孔間距離の計算方法は、特許文献１及び特許文献２に記載の方法を利用してもよい。
【００３９】
前述のように、補正計算をすることで、任意の作業距離での瞳孔間距離を測定することができる。このため、本実施例では、被検者が固視標を融像しやすいように作業距離を近距離にしている。
【００４０】
＜制御系＞
図４を参照して、本距離計１の制御系を説明する。本距離計１の制御系は、制御部７０、メモリ７２などを主に備える。制御部７０は、結果表示部７と、電源ボタン２１と、移動ボタン２２と、移動ボタン２３と、測定モード切換ボタン２４と、作業距離変更ボタン２５と、固視標照明用光源３１と、ディスプレイ３６、メモリ７２等と接続される。
【００４１】
図５は、本実施例に用いられるディスプレイ３６を示す概略図である。ディスプレイ３６は、例えば、被検者の上下方向に延びるライン状の測定用マークＭを表示する。例えば、ディスプレイ３６には、ライン状のセグメントが縦方向に多数配列されている。なお、図５において説明の都合上、各セグメントの領域を点線で示している。
【００４２】
ディスプレイ３６は、各セグメントを偏光表示することによって測定用マークＭを表示させる。例えば、あるセグメントの両端に電圧を掛けると、偏波面を曲げる液晶の作用がなくなり、その部分は、偏光板により光を透過することができず、暗いライン（測定用マークＭ）として見える。例えば、制御部７０は、電圧を加えるセグメントの番号，位置等を制御し、セグメントの番号，位置等に基づいて、瞳孔間距離の算出および出力等を行ってもよい。なお、測定用マークＭは必ずしもライン状である必要はなく、位置合せできるものであればよい。
【００４３】
＜操作方法および制御動作＞
以下、本実施例の瞳孔間距離計１の操作方法を、瞳孔間距離計１の制御を交えて説明する。まず、検者は、電源ボタン２１を操作し、瞳孔間距離計１の電源を入れる。電源が入ると、制御部７０は、固視標照明標光源３１を点灯させる。
【００４４】
そして、測定モード切換ボタン２４を操作し、両眼測定モード、右眼測定モード、左眼測定モードを切り換え、所望の測定モードに切り換える。各測定モードは、検者によって測定モード切換ボタン２４が操作される度に切り換わる。以下の説明では、例えば、両眼測定モードが選択されたものとして説明する。
【００４５】
次に検者は、作業距離変更ボタン２５を押し、作業距離の設定を変更する。例えば、制御部７０は、作業距離変更ボタン２５が押される度に作業距離を３０ｃｍ、４０ｃｍ、５０ｃｍ、６０ｃｍ、１ｍ、２ｍ、無限遠など、作業距離を切り換える。制御部７０は、選択された作業距離を結果表示部７に表示してもよい。前述のように、本距離計１で測定された瞳孔間距離のデータを補正計算することで、選択された作業距離における被検者の瞳孔間距離を間接的に測定する。なお、作業距離の設定変更は、測定後に行ってもよい。
【００４６】
続いて、検者は、瞳孔間距離計１の額当て３を被検者の額に当てる。また、検者は、鼻当て４を被検者の鼻に当てる。そして、検者は、被検者に検査窓６を覗かせ、固視標を固視させる。
【００４７】
固視標照明用光源３１を出射し固視標３２を照明した照明光は、ミラー３３で反射され、凸レンズ３４を介し、角膜に入射する。角膜表面は凸面鏡の役割をはたし、虚像を結ぶ。この虚像は角膜の曲率が小さいので、微小な輝点として見える。被検者が固視標３２を固視していれば、被検者の両眼の視軸は作業距離点で交差し、角膜上の輝点は角膜頂点上に位置する。
【００４８】
検者は、観察窓５を覗き、接眼レンズ３５を介して被検眼に形成された輝点を観察する。そして、検者は、移動ボタン２２と、移動ボタン２３を操作し、角膜輝点Ｐに重なるように測定用マークＭを移動させる。制御部７０は、移動ボタン２２と、移動ボタン２３からの操作信号を受け付け、測定用マークＭの表示位置を移動させる。このように、制御部７０は、ディスプレイ３６に形成された測定用マークＭの形成位置を移動させる測定用マーク移動手段として機能する。
【００４９】
例えば、図５（ａ）に示す状態において、検者は右移動ボタン２２Ｒを２回押す。制御部７０は、右移動ボタン２２Ｒからの操作信号を受け付ける。制御部７０は、被検者の右眼側に表示された測定用マークＭの表示位置を被検眼Ｅに対して右側に移動させる。例えば、制御部７０は、右移動ボタン２２Ｒが一度押されると、セグメントＳｅを消灯し、セグメントＳｆを点灯させる。制御部７０は、右移動ボタン２２Ｒがもう一度押されると、セグメントＳｆを消灯し、セグメントＳｇを点灯させる。図５（ａ）に示す状態から、右移動ボタン２２Ｒが２回押されることによって、セグメントＳｇの位置に形成された角膜輝点Ｐが、測定用マークＭと重なるようになる。このように、検者は、移動ボタン２２を操作して、角膜輝点Ｐと重なる位置に測定用マークＭを表示させる。同様に、検者は、被検者の左眼に関しても角膜輝点Ｐの位置に測定用マークＭを移動させる。
【００５０】
制御部７０は、測定用マークＭの表示位置を被検眼の瞳孔の位置として検出し、瞳孔間距離の算出を行う。例えば、制御部７０は、式（１）に基づいて、被検者の瞳孔間距離の算出を行う。なお、制御部７０は、例えば、測定用マークＭを表示しているセグメント及び作動距離変更ボタン２５によって選択された作業距離に対応する距離をメモリ７２から読み込んでもよい。そして、制御部７０はメモリ７２から読み込んだ距離を結果表示部７に表示させてもよい。
【００５１】
＜算出結果の表示方法＞
以下、本実施例の瞳孔間距離計１における測定結果の表示方法について説明する。本実施例の瞳孔間距離計１は、例えば、０．５ｍｍの表示ピッチ（表示間隔）で測定結果を結果表示部７に表示する。さらに、本実施例の瞳孔間距離計１は、０．５ｍｍより細かい表示ピッチで測定結果を表示してもよい。これによって、眼鏡の調整をより細かく行える。したがって、カスタムレンズの作製、または眼鏡フレームのフィッティングが良好に行われ、眼鏡の性能を十分に発揮させることが可能となる。
【００５２】
さらに、例えば、複数の表示ピッチで瞳孔間距離の測定結果を表示してもよい。これによって、検者は、利用目的に応じた瞳孔間距離の測定結果を取得してもよい。
【００５３】
例えば、本実施例の瞳孔間距離計１は、式（１）等によって算出された瞳孔間距離の測定結果の表示ピッチを切換できてもよい。例えば、瞳孔間距離計１は、測定結果を表示するときの表示ピッチを所定の表示ピッチの範囲から選択し、測定結果の表示ピッチを切り換えてもよい。さらに、瞳孔間距離計１は、予め設定された複数の表示ピッチの間で測定結果の表示ピッチを切換できてもよい。より詳細には、瞳孔間距離計１は、例えば０．１ｍｍ〜０．５ｍｍの間から選択された表示ピッチに切り換えてもよいし、例えば０．１ｍｍと０．５ｍｍとで表示ピッチを切り換えてもよい。このように、表示ピッチを切換できることによって、利用条件に応じた測定結果を取得できることが好ましい。
【００５４】
例えば、図示無き眼鏡レンズ加工装置に出力するための瞳孔間距離は、細かいピッチで出力されることが好ましい。一方、仮枠検査やレフラクターを用いて視力検査をするときに用いる瞳孔間距離は、細かいピッチで出力する必要がない場合がある。これは、仮枠やレフラクターを使用する場合は、例えば、被検眼に対する位置合わせの自由度が高いからである。
【００５５】
このように、瞳孔間距離は、種々の目的に利用されるため、目的に応じた表示ピッチで出力されることが好ましい。
【００５６】
本実施例の場合、表示ピッチ０．１ｍｍで測定結果を表示する第１出力モードと、表示ピッチ０．５ｍｍで測定結果を表示する第２出力モードの２種類の出力モードが用いられる。図６（ａ）は、第１出力モードにおける結果表示部７の一例を示す。図６（ｂ）は、第２出力モードにおける結果表示部７の一例を示す。本実施例の瞳孔間距離計１は、例えば、測定モード切換ボタン２４を長押しすることによって、第１出力モードと第２出力モードとを切り換えてもよい。例えば、制御部７０は、測定モード切換ボタン２４が長押しされることによって出力される出力モード切換信号を受け取り、結果表示部７の出力モードを切り換えてもよい。
【００５７】
＜換算方法＞
以下、選択された表示ピッチに適するように瞳孔間距離の算出結果を換算する方法について説明する。図７は、算出された片眼の瞳孔間距離の数値の一例を示すものである。
【００５８】
例えば、図７（ａ）は、表示ピッチ０．１ｍｍの場合に、片眼の瞳孔間距離の算出結果を換算したときの換算結果を示す。図７（ｂ）は、表示ピッチ０．５ｍｍの場合に、片眼の瞳孔間距離の算出結果を換算したときの換算結果を示す。
【００５９】
本実施例では、例えば、瞳孔間距離の算出結果を丸めることによって換算を行う。なお、丸めるとは、与えられた数値を、ある一定の丸め幅の整数倍がつくる系列の中から選んだ数値に置き換えることである。この置き換えた数値を丸めた数値と呼ぶ（日本工業規格JISZ8401「数値の丸め方」参照）。
【００６０】
図７（ａ）に示すように、例えば、瞳孔間距離の算出結果が３２．２２３、３２．２８１、３２．３１５であったとする。これらの算出結果を表示ピッチ０．１ｍｍで表示するとき、制御部７０は、例えば、丸め幅０．１ｍｍで数値を丸める。例えば、３２．２２３を丸め幅０．１ｍｍで丸める場合、３２．２２３は、３２．２と３２．３の間の数値である。さらに、３２．２２３は、３２．２と３２．３の中間の値である３２．２５より小さい値である。従って、３２．２２３は、３２．３よりも３２．２に近い数値であるため、３２．２に丸められる。同様に、３２．２８１は、３２．２と３２．３の中間の値である３２．２５より大きい値であるため、３２．３に丸められる。同様に、３２．３１５は、３２．２と３２．３の中間の値である３２．２５より大きい値であるため、３２．３に丸められる。
【００６１】
なお、上記の算出結果を表示ピッチ０．５ｍｍで表示するとき、制御部７０は、例えば、丸め幅０．５ｍｍで数値を丸める。例えば、３２．２２３を丸め幅０．５ｍｍで丸める場合、３２．２２３は、３２．０と３２．５の間の数値である。さらに、３２．２２３は、３２．０と３２．５の中間の値である３２．２５より小さい値である。従って、３２．２２３は、３２．５よりも３２．０に近い数値であるため、３２．０に丸められる。同様に、３２．２８１は、３２．０と３２．５の中間の値である３２．２５より大きい値であるため、３２．５に丸められる。同様に、３２．３１５は、３２．０と３２．５の中間の値である３２．２５より大きい値であるため、３２．５に丸められる。
【００６２】
以上のように、瞳孔間距離の算出結果を複数の方法で換算することによって、各表示ピッチに適した瞳孔間距離を取得することができる。これによって、本実施例の瞳孔間距離計１は、検者の所望する表示ピッチで瞳孔間距離を出力することができる。なお、丸め幅は、０．５及び０．１に限らず、他の値を用いてもよいが、０．５以下であることが好ましい。
【００６３】
なお、以上の説明において、測定結果の表示ピッチを切り換えて表示できるとしたが、これに限らない。例えば、測定結果を複数の表示ピッチで同時に結果表示部７に表示してもよい。この場合、検者は、目的に適した表示ピッチで出力された数値だけを読み取ってもよい。
【００６４】
＜測定用マークの移動限界表示＞
なお、本実施例の瞳孔間距離計１は、測定用マークＭが測定移動範囲（表示領域Ａｃに相当）の限界に達したときに、ディスプレイ３６の表示を変更してもよい。これによって、測定用マークＭが測定移動範囲の限界に達したことを検者に報知してもよい。なお、測定移動範囲とは、例えば、予め設定された測定範囲から求まる測定用マークＭの移動範囲のことである。したがって、測定移動範囲の限界とは、瞳孔間距離計１によって測定可能な瞳孔間距離の最大値、あるいは最小値が算出されるときに測定用マークＭが表示される位置である。例えば、本実施例において、測定用マークＭがセグメントＳａ及びセグメントＳｌによって形成されている場合、測定用マークＭが測定移動範囲の限界に達している。
【００６５】
以下、本実施例において、測定用マークＭが測定移動範囲の限界に達したときの表示について説明する。本実施例の瞳孔間距離計１は、測定用マークＭが測定移動範囲の限界に達した場合、ディスプレイ３６の表示制御を第１表示制御から第２表示制御に切り換える。第１表示制御とは、例えば、左右の被検眼に対して測定用マークＭを表示し、移動ボタン２２，２３からの操作信号に基づいて、測定用マークＭを左右に移動させる通常時の表示制御である。第２表示制御とは、第１表示制御とは異なる表示制御であり、測定移動範囲の限界が識別できる表示制御である。例えば、第２表示制御は、表示領域Ａｃの両側の表示領域Ａｒ，Ａｌを点滅させる表示制御である。なお、第２表示制御は上記の表示制御に限らず、種々の方法が考えられる（詳しくは後述する）。
【００６６】
図８（ａ）は、測定用マークＭが測定移動範囲の右側の限界に達している場合を示すものである。この状態で、検者が右移動ボタン２２Ｒを押したとする。右移動ボタン２２Ｒの操作によって出力された右移動信号は制御部７０に入力される。
【００６７】
制御部７０は、測定用マークＭが測定移動範囲の右側の限界に達している状態で右移動信号を受け付けると、表示領域Ａｒ，Ａｌを点滅させる（図８（ｂ）参照）。
【００６８】
このように、制御部７０は、測定用マークＭが測定移動範囲の左右いずれかの限界に達している場合、測定移動範囲を超える方向の操作信号を受け取ると、ディスプレイ３６の表示制御を第１表示制御から第２表示制御に変更してもよい。ディスプレイ３６の表示が切り替わることによって、検者は、測定用マークＭを右方向または左方向にこれ以上動かせないことを確認できる。
【００６９】
以上のような処理について、図９に示す制御フローチャートについて説明する。図９は、測定用マークＭの移動限界表示に関する制御フローチャートの一例である。図９のステップ１において、制御部７０は、移動ボタン２２，２３から出力される操作信号（移動信号）を取得する。制御部７０は、操作信号を取得するとステップ２に進む。
【００７０】
ステップ２において、制御部７０は、例えば、取得された操作信号が右移動信号であった場合、ステップ３に進み、操作信号が左移動信号であった場合、ステップ４に進む。なお、制御部７０は、左移動ボタン２２Ｌ，２３Ｌが押された場合、操作信号が左移動信号であると判別し、右移動ボタン２２Ｒ，２３Ｒが押された場合、操作信号が右移動信号であると判別してもよい。
【００７１】
ステップ３において、制御部７０は、例えば、測定用マークＭの表示位置が測定移動範囲の右側の限界であるか判別する。例えば、本実施例において、制御部７０は、測定用マークＭをセグメントＳｌに表示している場合、測定用マークＭが測定移動範囲の右側の限界であると判別する。制御部７０は、測定用マークＭの表示位置が測定移動範囲の右側の限界であった場合はステップ５に進み、限界でない場合はステップ６に進む。
【００７２】
ステップ４において、制御部７０は、例えば、測定用マークＭの表示位置が測定移動範囲の左側の限界であるか判別する。例えば、本実施例において、制御部７０は、測定用マークＭをセグメントＳａに表示している場合、測定用マークＭが測定移動範囲の左側の限界であると判別する。制御部７０は、測定用マークＭの表示位置が測定移動範囲の左側の限界であった場合はステップ５に進み、限界でない場合はステップ７に進む。
【００７３】
ステップ５において、制御部７０は、第２表示制御を行う。例えば、制御部７０は、ディスプレイ３６の表示領域エリアＡｌ，Ａｒを点滅させる。これによって、検者は測定用マークＭが右の移動限界に達していることを確認できる。制御部７０は、第２表示制御を行うと本処理を終了する。
【００７４】
ステップ６において、制御部７０は、第１表示制御を行う。例えば、制御部７０は、測定用マークＭの表示位置を右に移動させ、本処理を終了する。
【００７５】
ステップ７において、制御部７０は、第１表示制御を行う。例えば、制御部７０は、測定用マークＭの表示位置を左に移動させ、本処理を終了する。
【００７６】
以上のように、本実施例の瞳孔間距離計１は、測定用マークＭの表示位置が測定移動範囲の限界に達している場合に、ディスプレイ３６の表示制御を変更する。これによって、検者は、測定用マークＭの表示位置が測定移動範囲の限界に達したことを確認できる。
【００７７】
例えば、従来のように、ノブなどの操作部材の移動をリニアポテンショメータ等によって検出する場合、測定用マークＭの移動限界は操作部材の物理的な操作範囲、測定用マークＭの移動限界を確認することができる。しかしながら、本実施例のように、移動ボタン２２，２３によって測定用マークＭの移動指示を受け付ける場合、検者は測定用マークＭが移動限界に達しているかどうか確認しにくい。したがって、測定用マークＭが測定移動範囲の限界に達しているにも関わらず、検者によって移動ボタン２２，２３が押される可能性があった。また、移動限界によって測定用マークＭが移動しないことを瞳孔間距離計１の故障だと誤解される可能性があった。本実施例の瞳孔間距離計１は、測定用マークＭの表示位置が測定移動範囲の限界に達したことを確認できるので、上記のような誤操作を少なくできる。なお、図９の制御フローは一例であり、別の制御フローによって制御してもよい。
【００７８】
なお、制御部７０は、移動ボタン２２，２３からの操作信号が無い場合であっても、測定用マークＭが測定移動範囲の限界に達したときに、ディスプレイ３６の表示制御を変更してもよい。
【００７９】
なお、以上の説明において、第２表示制御は、例えば、表示領域Ａｌ，Ａｒを点滅させるものとしたが、これに限らない。例えば、第２表示制御は、測定用マークＭの移動位置が測定移動範囲の限界に達したことを識別できる表示制御であればよい。例えば、第２表示制御は、表示領域Ａｌ，Ａｒを点灯する制御でもよい。例えば、第２表示制御は、表示領域Ａｌ，Ａｒの一方を点滅（または点灯、消灯）する制御でもよい。例えば、第２表示制御は、ディスプレイ３６の一部の領域を点滅（または点灯、消灯）する制御でもよいし、ディスプレイ３６の全ての領域を点滅（または点灯、消灯）する制御でもよい。例えば、第２表示制御は、測定用マークＭを点滅（あるいは消灯）する制御でもよい。
【００８０】
なお、本実施例では、測定用マークＭを移動させる場合、移動ボタン２２，２２等を操作するものとしたが、これに限らない。例えば、図示無きリニアポテンショメータと連動するノブを操作することによって、測定用マークＭを移動させてもよい。このような構成は、特許文献１及び特許文献２に説明されている。
【符号の説明】
【００８１】
１  瞳孔間距離計
２  筺体
３  額当て
４  鼻当て
２１  電源ボタン
２２  移動ボタン
２３  移動ボタン
２４  測定モード切換ボタン
２５  作業距離変更ボタン
３０  測定光学系
３１  固視標照明用光源
３２  固視標
３６  ディスプレイ
７０  制御部
７２  メモリ
【図１】
0006398385.tif 000003
【図２】
0006398385.tif 000004
【図３】
0006398385.tif 000005
【図４】
0006398385.tif 000006
【図５】
0006398385.tif 000007
【図６】
0006398385.tif 000008
【図７】
0006398385.tif 000009
【図８】
0006398385.tif 000010
【図９】
0006398385.tif 000011